【手続補正書】
【提出日】平成23年12月21日(2011.12.21)
【手続補正１】
【補正対象書類名】明細書
【補正対象項目名】００５９
【補正方法】変更
【補正の内容】
【００５９】
図３で分かるように、曲線１および２で表される実施例１および実施例２の吸音材は、４００Ｈｚ〜１２００Ｈｚの周波数領域で、曲線Ｃで表される比較例と比較した場合、連続的に改善された吸音を提供する。表面材を有する吸音材では、表面材なしの吸音材と比較して少なくとも５％高く改善される。また、実施例１および２から、一般に使用される不透過性フィルム表面材よりずっと厚く、典型的な有孔表面材より単位面積当たりの通気抵抗がずっと高いにもかかわらず、本発明の表面材は、比較的高い音声領域周波数で音響エネルギーを実質的に反射しないことが分かる。
次に、本発明の好ましい態様を示す。
１  ２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む吸音物品。
２  前記吸音材のコアの騒音低減率が０．３〜０．９であり、前記吸音材料が繊維バット、フォーム、ハニカム、空気層、有孔材料およびこれらの組み合わせからなる群から選択される、上記１に記載の物品。
３  前記表面材が、孔径１００ｎｍ〜２０，０００ｎｍ、平均孔径５，０００ｎｍ未満の複数の細孔を有する、上記１に記載の物品。
４  前記表面材が、孔径１００ｎｍ〜２０，０００ｎｍ、平均孔径２，０００ｎｍ未満の複数の細孔を有する、上記１に記載の物品。
５  前記表面材が、ポリエチレンおよびポリプロピレンからなる群から選択されるポリマーを含む、上記１に記載の物品。
６  前記表面材の厚さが１ｍｍ以下であり、前記コアの厚さが少なくとも５ｍｍである、上記１に記載の物品。
７  前記表面材のＰａｒｋｅｒ表面平滑性が６マイクロメートル以上である、上記１に記載の物品。
８  前記表面材にグラフィック画像が印刷されている、上記１に記載の物品。
９  前記表面材の引張強度が少なくとも２０Ｎ／２．５４ｃｍである、上記１に記載の物品。
１０  前記表面材が、微生物の増殖を促進する栄養を含まない、上記１に記載の物品。
１１  前記表面材の対数減少値が少なくとも４である、上記１に記載の物品。
１２  １２００Ｈｚ未満の周波数での物品の吸音が、前記表面材のない物品の吸音より少なくとも５％高い、上記１に記載の物品。
１３  前記表面材が更に穿孔されており、穴が前記表面材を貫通して突出している、上記１に記載の物品。
１４  前記穴の直径が１ｍｍ未満である、上記１３に記載の物品。
１５  前記表面材が、金属化層、帯電防止層、着色層、光沢層、抗菌層および光反応層からなる群から選択されるコーティングを更に含む、上記１に記載の物品。
１６  前記表面材と前記コアの少なくとも１つの主表面の間に配置された接着剤層を更に含む、上記１に記載の物品。
１７  ａ）２つの主表面を有する吸音材料のコア、
ｂ）前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、および
ｃ）前記コアおよび少なくとも１つの主表面上の表面材を収容するための音響透過性硬質外被、
を含む、アセンブリ。
１８  前記音響透過性硬質外被が、有孔金属、有孔プラスチック、および有孔の固体充填樹脂材料からなる群から選択される、上記１７に記載のアセンブリ。
１９  約１２００Ｈｚ未満の周波数での前記アセンブリの吸音が、前記表面材のないアセンブリの吸音より少なくとも５％高い、上記１７に記載のアセンブリ。
２０  ２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む、吸音間仕切り。
２１  １２００Ｈｚ未満の周波数での前記間仕切りの吸音が、前記表面材のない間仕切りの吸音より少なくとも５％高い、上記２０に記載の間仕切り。
２２  ２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む、吸音性建築用表面被覆材。
２３  １２００Ｈｚ未満の周波数での前記被覆材の吸音が、前記表面材のない被覆材の吸音より少なくとも５％高い、上記２２に記載の被覆材。
２４  （ａ）凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートの表面材によって被覆された吸音材料のコアを含む吸音物品を提供する工程と、
（ｂ）周囲音が前記物品に吸収されるように環境内に前記物品を配置する工程と、
を含む、環境内の吸音を改善する方法。
【手続補正２】
【補正対象書類名】特許請求の範囲
【補正対象項目名】全文
【補正方法】変更
【補正の内容】
【特許請求の範囲】
【請求項１】
２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む吸音物品。
【請求項２】
ａ）２つの主表面を有する吸音材料のコア、
ｂ）前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、および
ｃ）前記コアおよび少なくとも１つの主表面上の表面材を収容するための音響透過性硬質外被、
を含む、アセンブリ。
【請求項３】
２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む、吸音間仕切り。
【請求項４】
２つの主表面を有する吸音材料のコア、および
前記コアの少なくとも１つの主表面を被覆する表面材であって、凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートを含む表面材、
を含む、吸音性建築用表面被覆材。
【請求項５】
（ａ）凝集表面を有し、坪量１４０ｇ／ｍ2以下であり、孔径１００ｎｍ〜２０，０００ｎｍ、平均孔径２０，０００ｎｍ未満の複数の細孔を含む多孔質フラッシュ紡糸プレキシフィラメント状フィルム−フィブリルシートの表面材によって被覆された吸音材料のコアを含む吸音物品を提供する工程と、
（ｂ）周囲音が前記物品に吸収されるように環境内に前記物品を配置する工程と、
を含む、環境内の吸音を改善する方法。